(57)【要約】      （修正有）【課題】遊技球の動きがわかりやすく、しかも遊技者がスリルを十分味わえ、遊技者に対して新しい興奮感を付与可能な振分装置を備えた遊技機を提供する。【解決手段】遊技領域を流下する遊技球を通常領域と特定領域のいずれかに振分ける振分装置１１を備えた遊技機であって、前記振分装置１１は遊技領域を流下する遊技球を確実に所定方向に誘導する第一誘導路１７と、前記第一誘導路１７に導かれた遊技球を受けて所定方向に誘導する第二誘導路１８と、前記第二誘導路１８の終端に設けられ該第二誘導路１８で導かれた遊技球を通常領域と特定領域のいずれかに振分ける振分部材１９と、該振分部材１９を可動させる電気的駆動源２０とを備えた。【選択図】図２
2010124907.tif 000002
【特許請求の範囲】
【請求項１】
遊技領域を流下する遊技球を通常領域と特定領域のいずれかに振分ける振分装置を備えた遊技機であって、
前記振分装置は、遊技領域を流下する遊技球を確実に所定方向に誘導する第一誘導路と、前記第一誘導路に導かれた遊技球を受けて所定方向に誘導する第二誘導路と、前記第二誘導路の終端に設けられ該第二誘導路で導かれた遊技球を通常領域と特定領域のいずれかに振分ける振分部材と、該振分部材を可動させる電気的駆動源と、を備えたことを特徴とする遊技機。
【請求項２】
前記第二誘導路は遊技球を電気的に搬送する搬送手段を備え、該搬送手段を前記振分部材を可動させる電気的駆動源により駆動するようにしたことを特徴とする請求項１記載の遊技機。
【請求項３】
前記搬送手段は、遊技球を1個受け入れて前記振分部材に向けて搬送する搬送部材を備えたことを特徴とする請求項２記載の遊技機。
【請求項４】
前記遊技領域に枠体を備えた表示装置を設け、前記枠体に遊技領域を流下する遊技球が飛入する球入口が形成され、該球入口から受け入れた遊技球が前記振分装置に誘導され、前記振分部材の近傍に前記特定領域としての入賞口を備えたことを特徴とする請求項１ないし３のいずれかに記載の遊技機。
【発明の詳細な説明】
【技術分野】
【０００１】
本発明は、遊技領域を流下する遊技球を通常領域と特定領域のいずれかに振分ける振分装置を備えた遊技機に関する。
【背景技術】
【０００２】
従来、遊技機としてのパチンコ機の多くは、遊技領域の中央に表示装置等のセンター役物が配置され、そのセンター役物の枠体の底部を遊技球の転動部として遊技領域を流下する遊技球を導くようにしている。そして、その転動部は緩やかに湾曲させて略中央に窪みまたは切り欠きにより遊技球落下部を形成して、その下方に位置して設けられる始動口に入賞しやすいようにしている。このように、転動部の形状により通常領域である遊技領域に遊技球を戻したり、特定領域である始動口に入賞するように振り分けるようにしている。（特許文献１参照。）
【０００３】
【特許文献１】特開２００５−６９６３号公報
【発明の開示】
【発明が解決しようとする課題】
【０００４】
しかしながら、特許文献１に記載の遊技機における振分は、単調であり遊技者に飽きられ易く、遊技者に緊張感を与えることがなく、遊技の興趣を盛り上げることができないという問題がある。
【０００５】
そこで、本発明は、遊技球の動きがわかりやすく、しかも遊技者がスリルを十分味わえ、通常領域及び特定領域のいずれかに振り分けるという基本ルールを維持しつつも、従来のような淡白な振分手法を脱却し遊技者に対して新しい興奮感を付与可能な振分装置を備えた遊技機を提供することを目的とする。
【課題を解決するための手段】
【０００６】
上記目的を達成するために、本発明の請求項１の遊技機は、遊技領域を流下する遊技球を通常領域と特定領域のいずれかに振分ける振分装置を備えた遊技機であって、前記振分装置は、遊技領域を流下する遊技球を確実に所定方向に誘導する第一誘導路と、前記第一誘導路に導かれた遊技球を受けて所定方向に誘導する第二誘導路と、前記第二誘導路の終端に設けられ該第二誘導路で導かれた遊技球を通常領域と特定領域のいずれかに振分ける振分部材と、該振分部材を可動させる電気的駆動源と、を備えたことを特徴とする。
【０００７】
また、請求項２の遊技機は、前記第二誘導路は遊技球を電気的に搬送する搬送手段を備え、該搬送手段を前記振分部材を可動させる電気的駆動源により駆動するようにしたことを特徴とする。
【０００８】
また、請求項３の遊技機は、前記搬送手段は、遊技球を1個受け入れて前記振分部材に向けて搬送する搬送部材を備えたことを特徴とする。
【０００９】
また、請求項４の遊技機は、前記遊技領域に枠体を備えた表示装置を設け、前記枠体に遊技領域を流下する遊技球が飛入する球入口が形成され、該球入口から受け入れた遊技球が前記振分装置に誘導され、前記振分部材の近傍に前記特定領域としての入賞口を備えたことを特徴とする。
【００１０】
第一誘導路および第二誘導路を照射する照明具を備え、第一誘導路および第二誘導路を照射することにより装飾効果を高めるとともに、第一誘導路および第二誘導路を流下する遊技球の存在を明確にすることができる。
【発明の効果】
【００１１】
この発明の遊技機によれば、遊技球が第一誘導路および第二誘導路を通過することにより遊技球の動きがわかりやすく、しかも振分部材により遊技客はスリルを十分味わうことができる。また、搬送手段を前記振分部材を可動させる電気的駆動源により第二誘導路の搬送手段を駆動することで、構造が簡素化するとともにコストの軽減に寄与することができる。さらに、搬送手段に、遊技球を１個受け入れて振分部材に向けて搬送する搬送部材を備えたことにより、遊技客はさらなるスリルを味わうことができる。
【００１２】
また、前記遊技領域に枠体を備えた表示装置を設け、前記枠体に遊技領域を流下する遊技球が飛入する球入口が形成され、該球入口から受け入れた遊技球が前記振分装置に誘導され、前記振分部材の近傍に前記特定領域としての入賞口を備えたことにより、入賞口へ入賞する可能性を高めて、遊技者が特別の利益を得る期待感を与え、興趣を増大することができる。
【発明を実施するための最良の形態】
【００１３】
以下に本発明の実施の形態を図面を参照して説明する。図１は本発明に係る振分装置を備えたパチンコ機の正面図、図２は振分装置の斜視図、図３は振分装置の正面断面図である。パチンコ機１は、矩形状の機枠２の前面に遊技盤３を備えた中枠４が水平方向へ片開き自在に蝶着され、その前面に遊技盤３が視認できるように窓部５を設けた前枠６が正面左側を枢支して開閉自在に設けられている。前枠６の下部には遊技媒体としての遊技球が貯留される上球皿７が設けられ、その上球皿７の下部には上球皿７の余剰球が貯留される下球皿９が設けられている。また、下球皿９の右側方には遊技球の打力を調整する発射ハンドル１０が設けられている。
【００１４】
遊技盤３は、所定の厚みを有する方形状に形成され、ガイドレール８により略円形の遊技領域３ａが形成されている。そして、その遊技領域３ａの略中央に本発明に係る振分装置１１を備えた表示装置１２が設けられ、その下方に特定領域として表示装置１２の表示を変化させるとともに当り外れを抽選するための検知スイッチ（図示せず）を備えた始動入賞口１３および大入賞口１４が上下に配設されている。また、遊技領域３ａの最下端には入賞球とならなかった遊技球がアウト球として流出するアウト口１５が設けられている。
【００１５】
振分装置１１は、実施例では図１に示すように表示装置１２の表示部を臨ませる枠体１６に対照的に設けられている。振分装置１１は、図２および図３に示すように遊技領域３ａを流下する遊技球を確実に鉛直方向に誘導する第一誘導路１７と、第一誘導路１７に導かれた遊技球を受けて水平方向に誘導する第二誘導路１８と、第二誘導路１８の終端に設けられ該第二誘導路１８で導かれた遊技球を遊技領域３ａ（通常領域）と始動入賞口１３（特定領域）のいずれかに振分ける回転振分部材１９と、この回転振分部材１９を回動させるモータ２０（電気的駆動源）とを備え、回転振分部材１９は制御手段により電気的に制御される。また、枠体１６には第一誘導路１７の基端に位置して遊技球が飛入する球入口２１が形成されている。
【００１６】
次に正面視左側の振分装置１１を例に構成を具体的に説明する。第一誘導路１７は枠体１６の側枠に沿って鉛直方向に設けられ、所定の太さの針金によって間隔をもって螺旋状に巻設して形成され、第一誘導路１７を自重により鉛直方向に通過する遊技球が視認できるようになっている。また、第一誘導路１７の直上に複数のＬＥＤからなる第一照明具２２が設けられ、第一誘導路１７を遊技球の進路方向に向かって照射するようにしている。第一誘導路１７の下端には第一誘導路１７に導かれた遊技球を受けて第二誘導路１８へ送り込む回転体２３が箱枠２５内に設けられ、モータ２４の駆動により遊技球が１個ずつ箱枠２５の開口部２５ａから第二誘導路１８へ送り込まれる。なお、箱枠２５の少なくとも前面側は透光性を有する樹脂材により形成し、回転体２３の回転により送り出される遊技球が視認できるようにして、遊技者に遊技球の動きを楽しませるのがよい。
【００１７】
第二誘導路１８は、枠体１６の底部１６ｂと平行に設けられる上面開放した枠部材２６内に螺旋体２７が収納され、回転振分部材１９の電気的駆動源であるモータ２０により螺旋体２７が回転して開口２６ａに沿って遊技球を回転振分部材１９に送るようにしている。また、第二誘導路１８の終端に複数のＬＥＤを備えた第二照明具２８が設けられ、第二誘導路１８を遊技球の進路方向に対向し照射するようにしている。枠部材２６は、底部１６ｂとの間隔および表示部の前面保護板との間隔がそれぞれ遊技球１個分隔てて設けられ、万一回転振分部材１９まで到達せずに第二誘導路１８の後方に落下した遊技球は第二誘導路１８の下方を通って底部１６ｂの前傾斜により遊技領域３ａに放出される。なお、回転振分部材１９の電気的駆動源であるモータ２０により螺旋体２７も同時に駆動するようにしたが、螺旋体２７を別個の駆動源により駆動させるようにしてもよい。
【００１８】
回転振分部材１９は、遊技球を受け入れる球受凹部２９と第二誘導路１８の遊技球の進路方向に形成され遊技球が通過する通路となる凹溝３０とが交互に形成される回転体であり、球受凹部２９に受け入れられた遊技球は通常領域である遊技領域３ａに導かれ、凹溝３０に受けられた遊技球は回転周面に球受け凹部が複数設けられた回転誘導体３１により特定領域である始動入賞口１３に導くようにしている。回転誘導体３１は、回転振分部材１９の回転軸に設けられたギア３３ａに回転誘導体３１の回転軸に設けたギア３３ｂを噛合させることで回転するようにしている。つまり、モータ２０が駆動すると、螺旋体２７が回転するとともに回転振分部材１９が回転し、それに従動して回転誘導体３１が回転する。ギア３３ａ，３３ｂのギア比は異なっており、回転振分部材１９の回転に対して回転誘導体３１はゆっくり回転するようにしている。なお、正面視右側の振分装置１１は、回転誘導体３１を除いて左側の振分装置１１と同一であるため説明は省略する。つまり、右側の回転振分部材１９と回転誘導体３１はギアにより連係されておらず、右側の回転振分部材１９で振り分けられ、凹溝３０に導かれた遊技球はそのまま回転誘導体３１に導き、始動入賞口１３に導かれる。
【００１９】
上記構成のパチンコ機１における遊技の流れを説明する。なお、図３に遊技球の流れを仮想線によって示している。遊技領域３ａを流下する遊技球が球入口２１に飛入すると、第一誘導路１７の螺旋通路内を下方にゆっくり流下して回転体２３により第二誘導路１８に導かれる。このとき、第一誘導路１７が第一照明具２２により照射され、装飾効果が高められるともに流下する遊技球が照らし出され遊技者の視覚を楽しませることができる。また、回転体２３のモータ２４の回転を制御することで、第二誘導路１８に送り込む遊技球の動きを遅くしてもよく、遊技者に少しでも遊技球の動きを楽しませることができる。
【００２０】
そして、第二誘導路１８に導かれた遊技球は、モータ２０の駆動により回転している螺旋体２７の螺旋羽根間に嵌るとともに開口２６ａにガイドされながら回転振分部材１９に向かって移動する。このとき、第二照明具２８により第二誘導路１８が照射され、開口２６ａから洩れる光により螺旋体２７上の遊技球を照射して装飾効果を高めるようにしている。そして、回転振分部材１９に導かれた遊技球が球受凹部２９に受け入れられると、回転振分部材１９の回転により通常領域である遊技領域３ａに放出される。また、タイミングよく凹溝３０に受けられると、この凹溝３０を通過しながら回転誘導体３１に導かれ、回転誘導体３１の回転により特定領域である始動入賞口１３に導かれ入賞する。始動入賞口１３に入賞すると所定個数の賞球が図示しない払出し装置から払い出されるとともに表示装置１２の表示部が変動し、その表示部が所定の図柄・数字で停止すると大当たりとなって大入賞口１４の扉が開放し、大量の遊技球が入賞して遊技者は一気に多量の賞球を獲得することができる。このように、上記構成の振分装置１１を備えることにより、遊技のスリルを味わいながら遊技機本来の遊技球の動きを十分に楽しむことができる。なお、実施の形態において特定領域を表示装置１２の変動を変化させる始動入賞口１３としたが、直接大当りとする入賞口としてもよい。
【００２１】
次に、図４および図５を使って振分装置の他の実施形態を説明する。この実施の形態において、前記実施の形態と異なる点は第二誘導路の構成であるため同じ構成には同一符号を付して説明する。この実施の形態の振分装置１１０は、遊技領域３ａを流下する遊技球を確実に鉛直方向に誘導する第一誘導路１７と、第一誘導路１７に導かれた遊技球を受けて水平方向に誘導する第二誘導路１８０と、第二誘導路１８０の終端に設けられ該第二誘導路１８０で導かれた遊技球を始動入賞口１３（通常領域）と特別入賞口３５（特定領域）のいずれかに振分ける回転振分部材１９０と、この回転振分部材１９０を回動させるモータ２００（電気的駆動源）と、回転振分部材１９に振り分けられた遊技球を特別入賞口３５（特定領域）へ誘導する第三誘導路４５とを備え、回転振分部材１９０は制御手段により電気的に制御される。
【００２２】
第二誘導路１８０は、搬送手段として中空の箱体３６内に螺旋軸３７が配設され、螺旋軸３７に移動子３８が移動自在に設けられている。箱枠３６の上面は前側に傾斜しており、遊技球が上面に乗るとその傾斜により遊技領域３ａに向かって転動するようになっている。また箱枠３６の上面には螺旋軸３７に沿って切り溝３９が形成され、この切り溝３９を介して移動子３８と一体的に移動する搬送部材４０が設けられている。搬送部材４０は台座に丼を模した上面開放した球受部４２が遊技球の搬送方向に傾動できるように一端が軸支されており、後面側に作用片４１が設けられている。搬送部材４０は常には自重で球受部４２の開放面が上方に向くようになっている。搬送部材４０は螺旋軸３７の正逆回転により進退するようになっている。また、箱体３６の後面側であり搬送方向の終端側に作用片４１が接触し、搬送部材４０を傾動させ球受部４２に受け入れられた遊技球を搬送方向に放出するように作用させる傾斜状の作用壁４７が形成されている。螺旋軸３７の始端にモータ２００の回転軸に連結され終端にギア５０ａが設けられ回転振分部材１９０の回転軸に設けられるギア５０ｂと連係している。なお、ギア５０ａ，５０ｂは同じギア比である。また、箱体３６には移動子３８の接触を検知するセンサ（図示せず）が設けられ、このセンサの検知によりモータ２００の回転の正逆を切り換えるようにしている。なお、センサは、作用壁４７に設け、作用片４１の接触を検知するようにしてもよい。
【００２３】
回転振分部材１９０は、遊技球を受け入れる凹部４８と遊技球の通路となる凸部４９とが交互に形成されたスプロケットタイプの回転体である。第三誘導路４５は第二誘導路１８０とほぼ構成が同じであり、回転振分部材１９０の回転軸と同軸上に設けられている。そして、モータ２００の正逆回転により移動子３８が往復動する。つまり、モータ２００が正転すると第二誘導路１８０の移動子３８は搬送方向に移動し、第三誘導路４５の移動子３８は螺旋軸４６がギアにより反対回転するため戻る方向に移動する。したがって、第二誘導路１８０の移動子３８と第三誘導路４５の移動子３８は、図４および図５に示すように回転振分部材１９０に互いに接近したり離間したりを繰り返す。
【００２４】
上記構成の遊技の流れを説明する。遊技領域３ａを流下する遊技球が球入口２１に飛入すると、第一誘導路１７を鉛直方向に流下して回転体２３によりタイミングよく搬送部材４０に受け入れられるとモータ２００の駆動により移動子３８が搬送方向に移動し、作用片４１が作用壁４７に接触するとそれにともない搬送部材４０が傾動し、遊技球が回転振分部材１９０に向かって放出される。このとき、凹部４８に受けられた遊技球は始動入賞口１３に放出されると同時に移動子３８がセンサに検知されることによりモータ２０の駆動が反転する。そして、凸部４９に受けられた遊技球はタイミングよく第三誘導路４５の搬送部材４０に受け入れられるとそのまま終端まで運ばれ、第二誘導路１８０と同じように作用片４１が作用壁４７に接触して搬送部材４０が傾動して特別入賞口３５に放出される。特別入賞口３５に入賞すると遊技者に有利な大当たりの確率が高い遊技モードに移行し、熱いリーチ演出が発生しやすくなり、遊技者の興趣を高めることができる。
【００２５】
なお、実施の形態に示した内容に限定されるものではなく、この発明の要旨を逸脱しない範囲で、種々の形態を実施し得るものである。例えば、搬送手段を螺旋体２７、螺旋軸３７を例として説明したが、コンベア等であってもよい。
【図面の簡単な説明】
【００２６】
【図１】パチンコ機の正面図。
【図２】振分装置の斜視図。
【図３】振分装置の正面図。
【図４】他の振分装置の斜視図。
【図５】図４の裏面斜視図。
【符号の説明】
【００２７】
１      パチンコ機（遊技機）
３      遊技盤
３ａ    遊技領域（通常領域）
１１    振分装置
１２    表示装置
１３    始動入賞口（特定領域）
１６    枠体
１７    第一誘導路
１８    第二誘導路
１９    回転振分部材（振分部材）
２０    モータ（電気的駆動源）
２１    球入口
２２    特定入賞口（球受入口）
２７    螺旋体（搬送手段）
３７    螺旋軸（搬送手段）
３８    移動子（搬送手段）
１００  振分装置
１８０  第二誘導路
１９０  回転振分部材
２００  モータ（電気的駆動源）
【図１】
2010124907.tif 000003
【図２】
2010124907.tif 000004
【図３】
2010124907.tif 000005
【図４】
2010124907.tif 000006
【図５】
2010124907.tif 000007